(57)【要約】      （修正有）【課題】仕切り材自体に工夫を施して利用することで多くの物品を収納可能とするドキュメントファイル等の書類入れを提供する。【解決手段】ドキュメントファイル（書類入れ）は、表面材２と裏面材３の左右両端部にそれぞれ接合し伸縮自在となった蛇腹状の右側面材７及び左側面材８と、表面材２と裏面材３の間に配置して左右両端部を右側面材７及び左側面材８に接合して複数の書類等収納部１０を形成する多数の仕切り材１とを備え、各仕切り材１は、主シート材の両面又は片面に被覆シートを貼り合わせると共に挿入口１３を設けて主シート材と被覆シート材の間にＣＤ等の薄物を収納させるポケット部（物品保持部）１４を形成する構成としたものである。【選択図】図７
0003156184.tif 000002
【実用新案登録請求の範囲】
【請求項１】
表面材及び裏面材と、
表面材と裏面材の左右両端部にそれぞれ接合し伸縮自在となった蛇腹状の右側面材及び左側面材と、
表面材と裏面材の間に配置して左右両端部を右側面材及び左側面材に接合して複数の書類等収納部を形成する多数の仕切り材とを備え、
上記仕切り材自体に物品保持部を設ける構成とした書類入れ。
【請求項２】
請求項１に記載の書類入れにおいて、
上記各仕切り材は、主シート材の両面又は片面に被覆シートを貼り合わせると共に挿入口を設け、上記物品保持部として主シート材と被覆シート材の間にＣＤ等の薄物を収納させるポケット部を形成する構成とした書類入れ。
【請求項３】
請求項２に記載の書類入れにおいて、
上記主シートが不織布で形成されている書類入れ。
【請求項４】
請求項１に記載の書類入れにおいて、
上記物品保持部は、仕切り材に設けた切込み又はゴム紐により形成する構成とした書類入れ。
【請求項５】
請求項１乃至４の何れかに記載の書類入れにおいて、
表面材と裏面材とが底面材に連設され、
表面材と裏面材との上部が接近離間するように構成され、
多数の仕切り材のうちの真ん中付近に配置する仕切り材の下部と底面材とを連結する連結部材が設けられている書類入れ。
【請求項６】
請求項１乃至４の何れかに記載の書類入れにおいて、
表面材と裏面材とは分離されて対向配置され、
表面材と裏面材とが平行に接近離間するように構成され、
各仕切り材の下端部に接合し伸縮自在となった蛇腹状の底面材が設けられている書類入れ。
【請求項７】
請求項１乃至４の何れかに記載の書類入れにおいて、
表面材と裏面材とが連設され、
蛇腹状の右側面材及び左側面材が表面材と裏面材の連設部付近に短く形成されて各仕切り材の左右両端部の一部に接合され、表面材と裏面材とが略１８０度見開き可能な構成とした書類入れ。
【考案の詳細な説明】
【技術分野】
【０００１】
本考案は、複数の書類等収納部を形成する多数の仕切り材を備えた書類入れに関する。
【背景技術】
【０００２】
従来、この種の書類入れとして、ドキュメントファイルと呼ばれるものが知られている。このドキュメントファイルは、表面材及び裏面材と、表面材と裏面材とを連設する底面材と、表面材と裏面材の左右両端部にそれぞれ接合し伸縮自在となった蛇腹状の右側面材及び左側面材と、表面材と裏面材の間に配置して左右両端部を右側面材及び左側面材に接合して複数の書類等収納部を形成する多数の仕切り材とを備える。上記仕切り材間の書類等収納部の各々には、書類を分類して入れるようにするが、例えば、文房具等の各種の小物類を入れたり、ＣＤ・ＤＶＤ等の記録媒体を分類して入れることもできる。ＣＤ等を収納させる場合、記録面が傷付かないようにケースに入れた状態で収納させるため、多数のＣＤ等を１枚ずつ各書類等収納部に収納させると嵩張ってしまい、書類を多く収納できなくなる。
【先行技術文献】
【特許文献】
【０００３】
特開平９−２３８７２６号公報
【考案の概要】
【考案が解決しようとする課題】
【０００４】
ところで、上記各仕切り材は、各仕切り材間に書類等収納部を形成するために設けられているが、仕切り材自体を利用して各種物品を収納させるという発想は、これまでなかった。
【０００５】
本考案は、上記事情に鑑みてなされたものであり、仕切り材に工夫を施すことにより多くの物品を収納可能とする書類入れを提供することを課題とする。
【課題を解決するための手段】
【０００６】
本考案に係る書類入れは、
表面材及び裏面材と、
表面材と裏面材の左右両端部にそれぞれ接合し伸縮自在となった蛇腹状の右側面材及び左側面材と、
表面材と裏面材の間に配置して左右両端部を右側面材及び左側面材に接合して複数の書類等収納部を形成する多数の仕切り材とを備え、
上記仕切り材自体に物品保持部を設ける構成としたものである。
これにより、仕切り材に設けた物品保持部にＣＤ等の各種物品を保持させることより各仕切り材間の書類等収納部の収納スペースを広く確保することができる。
【０００７】
上記各仕切り材は、主シート材の両面又は片面に被覆シートを貼り合わせると共に挿入口を設け、上記物品保持部として主シート材と被覆シート材の間にＣＤ等の薄物を収納させるポケット部を形成する構成とするのが望ましい。
これにより、仕切り材に形成したポケット部にＣＤ等を収納させることよりＣＤ等を嵩張ることなく仕切り材に保持することができ、従って、各仕切り材間の書類等収納部の収納スペースを広く確保することができる。
【０００８】
上記主シートが不織布で形成されるのが望ましい。
これにより、ＣＤ等の記録面を不織布で形成する主シート側に向けることにより記録面を傷付けないようにＣＤ等を仕切り材のポケット部に収納させることができる。
【０００９】
また、上記物品収納部が仕切り材に設けた切込み又はゴム紐により形成する構成としてもよい。
これにより、カード、写真等のシート物やクリップ付き筆記具等の物品を上記の切込み又はゴム紐に保持させることにより各種物品を仕切り材に保持することができ、従って、各仕切り材間の書類等収納部の収納スペースを広く確保することができる。
【００１０】
表面材と裏面材とが底面材に連設され、
表面材と裏面材との上部が接近離間するように構成される場合は、
多数の仕切り材のうちの真ん中付近に配置する仕切り材の下部と底面材とを連結する連結部材が設けられるのが望ましい。
これにより、上記連結部材によって各仕切り材のポケット部に収納したＣＤ等の物品の重みで右側面材及び左側面材が伸ばされて各仕切り材が側方へはみ出そうとすることを防止することができる。
【００１１】
表面材と裏面材とは分離されて対向配置され、
表面材と裏面材とが平行に接近離間するように構成される場合は、
各仕切り材の下端部に接合し伸縮自在となった蛇腹状の底面材が設けられるのが望ましい。
これにより、表面材と裏面材とを平行に離間させることにより、仕切り材間の各書類等収納部が全体的に広がるので、多くの書類を収納させることができる。また、表面材と裏面材とを平行に離間させることで、この書類入れを机上等に立たせて使用することができる。
【００１２】
表面材と裏面材とが連設される場合は、
蛇腹状の右側面材及び左側面材が表面材と裏面材の連設部付近に短く形成されて各仕切り材の左右両端部の一部に接合され、表面材と裏面材とが略１８０度見開き可能な構成とするのが望ましい。
これにより、表面材と裏面材とを略１８０度見開くことにより、仕切り材間に形成する書類等収納部を大きく開くことができるので、この書類等収納部への書類等の出し入れが非常に容易となり、また、仕切り材に設ける物品保持部への薄物等の物品の出し入れも非常に容易となる。
【考案の効果】
【００１３】
以上のように、本考案によれば、仕切り材自体に形成する物品保持部にＣＤ等を収納させることよりＣＤ等を嵩張ることなく収納することができる。従って、仕切り材間の書類等収納部の収納スペースを広く確保することができ、各書類等収納部の各々には多くの書類を収納させることができる。
【図面の簡単な説明】
【００１４】
【図１】実施形態１による書類入れ（ドキュメントファイル）を示す斜視図である。
【図２】実施形態１による書類入れ（ドキュメントファイル）を示す平面図である。
【図３】仕切り材の構成を示す平面図である。
【図４】仕切り材の構成を示す断面図である。
【図５】実施形態２による書類入れ（ドキュメントスタンド）を示す斜視図である。
【図６】実施形態２による書類入れ（ドキュメントスタンド）の底面を示す平面図である。
【図７】実施形態３による書類入れ（クラス分けドキュメントファイル）を示す平面図である。
【図８】仕切り材に設ける物品保持部として他の例を示す平面図である。
【考案を実施するための形態】
【００１５】
（実施形態１）
図１、図２に示すように、実施形態１の書類入れとしてのドキュメントファイルは、矩形状の表面材２及び裏面材３と、表面材２と裏面材３との下端部を連設する底面材４と、裏面材３の上端部に折り曲げ可能に連設して表面材２の表面側に重合させて上部の書類出し入れ口５を塞ぐ蓋材６と、表面材２と裏面材３の左右両端部にそれぞれ接合し伸縮自在となった蛇腹状の右側面材７及び左側面材８と、表面材２と裏面材３の間に配置して左右両端部を右側面材７及び左側面材８に接合して複数の書類等収納部１０を形成する多数の仕切り材１とで構成されている。
【００１６】
表面材２、裏面材３、底面材４及び蓋材６は、一連に連設されている。これら表面材２、裏面材３、底面材４及び蓋材６は、表裏面に非発泡樹脂シートを積層形成した発泡樹脂シートにより形成されているが、非発泡樹脂シート、革張りシート、布張りシート等の各種のシート材により形成するようにしてもよい。底面材４にはゴム紐６１が取り付けられており、このゴム紐６１を表面材２の表面側に重合された蓋材６の釦部材６２に引っ掛けることにより、表面材２と裏面材３の上端部間に形成される上部の書類出し入れ口５を蓋材６によって塞いだ状態に保持される。なお、ゴム紐６１は、表面材２か裏面材３に取り付けるようにしてもよいし、また、ゴム紐６１を設けることなく蓋材６と表面材２のそれぞれにホック等の係合部材を設けて蓋材６を閉じるようにしてもよい。
【００１７】
蛇腹状の右側面材７及び左側面材８は、非発泡シートにより形成され、その前端部と後端部が表面材２と裏面材３の左右両端部にそれぞれ縫合７１，８１により接合されているが、溶着、接着、リベット止め等の公知手段で接合するようにしてもよい。なお、縫合７１，８１は、このドキュメントファイルの外観のステッチ模様をも構成している。多数の仕切り材１は、その左右両端部が右側面材７と左側面材８の各蛇腹に溶着９により接合されているが、接着、縫合等の公知手段で接合するようにしてもよい。
【００１８】
次に、図３、図４に示すように、各仕切り材１は、主シート材１１の両面に被覆シート材１２を貼り合わせ、物品保持部として、主シート材１１と被覆シート材１２の間にＣＤ等の薄物１００を収納させるポケット部１４が形成されている。主シート材１１は、不織布で形成され、被覆シート材１２は、合成樹脂シートで形成されている。主シート材１１とその両面の各被覆シート材１２とは、外周縁部が溶着１９により接合されているが、上端部を接合しないようにしてもよい。各被覆シート材１２の上部には、Ｔ字状に開口させた挿入口１３が設けられている。また、このＴ字状挿入口１３の上端には下方に延びる舌片部１５が形成されている。これにより、挿入口１３から仕切り材１に形成するポケット部１４にＣＤ等を収納させることよりＣＤ等を嵩張ることなく収納することができる。従って、仕切り材１間の書類等収納部１０の収納スペースを広く確保することができ、書類等収納部１０の各々には多くの書類を収納させることができる。ポケット部１４内に収納したＣＤ等の上部に舌片部１５を被せることでポケット部１４内からのＣＤ等の脱落を防止することができる。
【００１９】
また、主シート材１１が不織布で形成されているので、ＣＤ等の記録面を主シート材１１側に向けることにより記録面を傷付けないようにＣＤ等を仕切り材１のポケット部１４に収納させることができる。また、Ｔ字状挿入口１３には下方に延びる切欠き１６が設けられているので、この切欠き１６を通してＣＤ１００を指で押えることができるから、ポケット部１４にはＣＤ１００の出し入れが容易に行える。また、表面材２の上端部にもＴ字状の切欠き部２１（図１参照）が設けられているので、この切欠き部２１を通して指を挿入し、表面材２に隣接する書類等収納部１０や仕切り材１のポケット部１４から書類やＣＤ等の出し入れが容易に行える。また、各仕切り材１の上端部には見出し部１７が連設されているので、この見出し部１７に見出しを付けることで、収納する書類やＣＤ等の分類整理が容易となる。
【００２０】
なお、ＣＤに相当するものとして、ＤＶＤ、ＢＤディスク等のディスク型記録媒体も含む。また、ポケット部１４には、ＣＤ等の他に、名刺、カード、写真、ＳＤメモリーカード等の各種のシート状又は薄板状の部材を収納させることもできる。例えば、音楽ＣＤであれば、その音楽ＣＤの歌詞等の冊子を仕切り材１間の書類等収納部１０に入れ、この書類等収納部１０を形成する隣接した仕切り材１のどちらかのポケット部１４にその音楽ＣＤを入れて、分類整理して保管することができる。また、写真データを記録したＣＤやメモリーカードも同様に、写真データをプリントした写真を書類等収納部１０に入れ、その仕切り材１のポケット部１４にそのＣＤ、メモリーカード又は／及び写真データのインデックスプリント写真等を入れて、分類整理して保管することができる。さらには、電化製品のＣＤ付き取扱説明書も同様に、取扱説明書を書類等収納部１０に入れ、ＣＤをその仕切り材１のポケット部１４に入れて、分類整理して保管することができる。
【００２１】
また、多数の仕切り材１のうちの真ん中付近に配置する仕切り材１の下部と底面材４とを連結する連結部材１８（図３参照）が設けられている。これにより、連結部材１８によって、各仕切り材１のポケット部１４に収納したＣＤ等の重みで蛇腹状の右側面材７及び左側面材８が伸ばされて各仕切り材１が側方へはみ出そうとすることを防止することができる。
【００２２】
なお、仕切り材１の主シート材１１は、不織布でなく、合成樹脂シートで形成してもよい。仕切り材１の被覆シート材１２は、主シート材１１の両面でなく片面だけに形成してポケット部１４を仕切り材１の片面だけに形成するものでもよい。
【００２３】
（実施形態２）
図５、図６に示すように、実施形態２の書類入れとしてのドキュメントスタンドは、略三角形状の表面材２及び裏面材３と、表面材２と裏面材３の左右両端部にそれぞれ接合し伸縮自在となった蛇腹状の右側面材７及び左側面材８と、表面材２と裏面材３の間に配置して左右両端部を右側面材７及び左側面材８に接合して複数の書類等収納部１０を形成する多数の仕切り材１とを備え、表面材２と裏面材３とは連設されずに分離されて対向配置され、表面材２と裏面材３とが平行に接近離間するように構成され、各仕切り材１の下端部に接合し伸縮自在となった蛇腹状の底面材４１（図６参照）が設けられ、そして、各仕切り材１は、図３、図４に示すものと同様に（ただし、仕切り材１の外形形状は表面材２及び裏面材３のように略三角形状となっている。）、主シート材１１の両面に被覆シートを貼り合わせると共に上部に挿入口１３を設けて主シート材１１と被覆シート材１２の間にＣＤ等の薄物１００を収納させるポケット部１４が形成されている。
【００２４】
これにより、仕切り材１に形成するポケット部１４にＣＤ等の薄物１００を収納させることよりＣＤ等を嵩張ることなく収納でき、書類等収納部１０を広く確保できる。しかも、表面材２と裏面材３とを平行に離間させることにより、仕切り材１間の各書類等収納部１０が全体的に広がるので、多くの書類を収納させることができる。また、表面材２と裏面材３とを平行に離間させることで、この書類入れを机上等に立たせて使用することもできる。なお、この実施形態２の書類入れにおける他の構成及び作用効果は、上述の実施形態１と同様である。
【００２５】
（実施形態３）
図７に示すように、実施形態３の書類入れとしてのクラス分けドキュメントファイルは、矩形状の表面材２と裏面材３とが背側で連設され、蛇腹状の右側面材７及び左側面材８が表面材２と裏面材３の連設部４０付近に短く形成されて各仕切り材１の左右両端部の一部に接合され、表面材２と裏面材３とが略１８０度見開き可能な構成とするものである。各仕切り材１間には、書類、写真、カード等の紙葉類やクリヤーホルダー等の薄物を収納することができる複数の書類等収納部１０が形成される。さらに、各仕切り材１は、主シート材１１の両面に被覆シート材１２を貼り合わせて主シート材１１と被覆シート材１２の間にＣＤ等の薄物を収納させるポケット部１４が形成されている（図３、図４参照）。図７に示す仕切り材１には、主シート材１１と表裏の被覆シート材１２とを溶着１９により区画し表裏の対向位置にポケット部１４が２つずつ形成され、各ポケット部１４には被覆シート材１２を切り込んだ挿入口１３が設けられている。
【００２６】
これにより、仕切り材１に形成するポケット部１４には、カード、写真、ＣＤ等を嵩張ることなく収納することができ、書類等収納部１０を広く確保できる。さらには、表面材２と裏面材３とを略１８０度見開くことができ、これにより、仕切り材１間に形成する書類等収納部１０を大きく開くことができるので、この書類等収納部１０への書類等の出し入れが非常に容易となり、また、仕切り材１に設けるポケット部１４への薄物等の物品の出し入れも非常に容易となる。なお、この実施形態３の書類入れにおける他の構成及び作用効果は、上述の実施形態１と同様である。
【００２７】
（その他）
なお、仕切り材１に設ける物品保持部は、上記ポケット部１４に限らず、例えば、図８（ａ）に示すように、仕切り材１の四箇所に形成する斜めの切込み１４１で物品保持部を構成してもよく、この場合、切込み１４１にカード、写真、名刺等のシート物１０１の四隅を差込んで保持することができる。また、図８（ｂ）に示すように、仕切り材１に取り付けたゴム紐１４２により物品保持部を構成してもよく、この場合、ゴム紐１４２と仕切り材１との間にカード等のシート物１０１や筆記具、メモ等を挟み込んで保持することができる。
【符号の説明】
【００２８】
１  仕切り材
２  表面材
３  裏面材
４，４１  底面材
７  右側面材
８  左側面材
９，１９  溶着
１０  書類等収納部
１１  主シート材
１２  被覆シート
１３  挿入口
１４  ポケット部（物品保持部）
１８  連結部材
【図１】
0003156184.tif 000003
【図２】
0003156184.tif 000004
【図３】
0003156184.tif 000005
【図４】
0003156184.tif 000006
【図５】
0003156184.tif 000007
【図６】
0003156184.tif 000008
【図７】
0003156184.tif 000009
【図８】
0003156184.tif 000010